(57)【要約】      （修正有）【課題】貴重な記憶のある気に入った写真又はメッセージ記載シートを投函する窓付き包袋が左右開閉面の一方の開閉面略一杯に大きく出来るポップアップアルバムを提供する。【解決手段】外表紙内面１と内表紙外面２とでなる左右開閉面１０，２０が開閉折線で開閉され、左右開閉面の一方の開閉面には、写真又はメッセージ記載シートを投函する窓付き包袋３が２個の起伏する断面平行四辺形状支柱でなるポップアップ支柱４を介して接着結合され、他方の開閉面には、装飾シート５が２個の起伏する装飾シート用断面平行四辺形状支柱でなる装飾シート用ポップアップ支柱６を介して接着結合され、そして、窓付き包袋の窓下側辺の打抜き部片でなるクランク状押引き作用竿がその先端部分を屈折させて装飾シート用ポップアップ支柱の下方の装飾シート用断面平行四辺形状支柱の上壁面に貼着連結してなるポップアップ機構を備えるポップアップアルバムである。【選択図】図１
2018062162.tif 000002
【特許請求の範囲】
【請求項１】
外表紙の内面と内表紙の外面とでなる左右開閉面が開閉折線で開閉され、左右開閉面の一方の開閉面には、略その面一杯の写真又はメッセージ記載シートを投函する窓付き包袋が、稜線を左右開閉面の開閉折線と並行するようにした２個の起伏する断面平行四辺形状支柱でなるポップアップ支柱を介して接着結合され、他方の開閉面には、前記写真又はメッセージ記載シートを装飾する装飾シートが、稜線を左右開閉面の開閉折線と並行するようにした２個の起伏する装飾シート用断面平行四辺形状支柱である装飾シート用ポップアップ支柱を介して接着結合され、そして、窓付き包袋の窓の打ち抜きによって生じる窓下側辺の打抜き部片をクランク状押引き作用竿となし、そのクランク状押引き作用竿の先端部分を屈折して装飾シート用ポップアップ支柱の下方の装飾シート用断面平行四辺形状支柱の上壁面に貼着連結してなるポップアップ機構を備えたことを特徴とするポップアップアルバム。
【請求項２】
内表紙外面の右開閉面に、略その面一杯の写真又はメッセージ記載シートを投函する窓付き包袋の窓には、裏より透明なフィルムを貼着させたことを特徴とする請求項１記載のポップアップアルバム。
【請求項３】
開閉折線で開閉される左右開閉面の一方の開閉面には、写真又はメッセージ記載シートを投函する窓付き包袋がポップアップ支柱を介して接着結合され、他方の開閉面には、装飾シートが装飾用ポップアップ支柱を介して接着結合され、そして、窓付き包袋の窓下側辺の打抜き部片でなるクランク状押引き作用竿がその先端部分を屈折させて装飾シート用ポップアップ支柱の上壁面に貼着連結してなるポップアップ機構を備えると共に、補助装飾シートが回転して窓付き包袋の下から飛び出す動きをするよう該補助装飾シートの下方に折起し部を設け、該折起し部には、交叉する折目の交叉部が左右開閉面の開閉折線上に位置され、該開閉折線を跨る上下のＶ字形状、逆Ｖ字形状の折目の間を前記左右開閉面への貼着部とし、該貼着部の折目外方へ延展し、折目を介して補助装飾シートに接続した、そして、左右開閉面の開閉に伴なって前記交叉部で交叉する折起し折線による折起しをする畳折り部とでなリ、該畳折り部の折起しによって補助装飾シートを回転させる補助装飾シート用ポップアップ機構を備えることを特徴とする請求項１乃至２のいずれか１項記載のポップアップアルバム。
【発明の詳細な説明】
【技術分野】
【０００１】  本発明は、記録写真を収録した記録写真アルバム、卒業記念写真等を収録した記念写真アルバムがポップアップ機構を備えたポップアップアルバムに関するものである。
【背景技術】
【０００２】  従来の記録写真アルバムには、記録写真を収録し、該記録写真の周囲に演出装飾を平面的に施したものがあった。
しかし、この記録写真の周囲に演出装飾を平面的に施した記録写真アルバムは、見る者を感動させえず、喚起し得るものでなかった。【０００３】  そこで、見開きする左右開閉面に、写真及びメッセージが記録されたシートを貼り付ける余白が設けられた装飾シートと、該装飾シートの周囲に配した演出装飾シートと、ポップアップ機構とを畳み込んで収納し、畳み込まれた前記装飾シートと前記演出装飾シートとが前記ポップアップ機構を介して見開きさせる左右開閉面に連結させられ、見開きする左右開閉面が開閉する動作で前記ポップアップ機構を作動させ、畳み込まれた前記装飾シートと前記演出装飾シートとを前方、左右、上下等に移動、回転させて立体状構成になるようにさせるものであった。（特許文献１）【０００４】  また、卒業写真アルバム等において、本質的に抱えた個別性の欠如という従来の問題を解決するため、そして、各人固有の記事や写真を魅力的に掲載する為に、外表紙の内面と内表紙の外面との見開き折線で見開く左右開閉面を形成し、該左右開閉面には、メッセージ等記入用空欄部を設けると共に、任意図柄を背景にした個々人の拡大顔写真が組込まれ、そして、下端に逆Ｖ字形のスリットを介在させて左右一対の糊代部が延設された装飾シートを設け、該装飾シートが糊代部の逆Ｖ字形のスリットの延長上に形成された折線で折返されて、且つ前記糊代部がその逆Ｖ字形のスリットを左右開閉面の見開き折線上に位置付けて貼着され、前記左右開閉面の開閉に応じて装飾シートを起伏させるものであった。（特許文献２）
【先行技術文献】
【特許文献】
【０００５】
【特許文献１】  実用新案登録第３１３９２３２号
【特許文献２】  実用新案登録第３０９６１０１号
【発明の概要】
【発明が解決しようとする課題】
【０００６】  従来のポップアップ機構を備えたポップアップアルバムは、その外表紙の内面と内表紙の外面とでなる左右開閉面の開閉で装飾シート及び演出装飾シートが折畳みにより起伏させられるものである為、装飾シート及び演出装飾シートには起伏させる折畳む折線があり、該折線のある装飾シート及び演出装飾シートに折畳みのできない記録写真、記念写真を貼ることは、その大きさに限度があり、大きくしたくとも大きく出来ない欠点がある。
大きく出来ない記録写真及び記念写真では、見る者を感動させ得ず、喚起し得ることが出来なく、魅力がなく、満足出来るものでなかった。
【課題を解決するための手段】
【０００７】  本発明のポップアップアルバムは、外表紙の内面と内表紙の外面とでなる左右開閉面が開閉折線で開閉され、左右開閉面の一方の開閉面には、略その面一杯の写真又はメッセージ記載シートを投函する窓付き包袋が、稜線を左右開閉面の開閉折線と並行するようにした２個の起伏する断面平行四辺形状支柱のその相互の対面が貼着されたポップアップ支柱を介して接着結合され、他方の開閉面には、前記写真又はメッセージ記載シートを装飾する装飾シートが、稜線を左右開閉面の開閉折線と並行するようにした２個の起伏する装飾シート用断面平行四辺形状支柱のその相互が離間して配置された装飾シート用ポップアップ支柱を介して接着結合され、そして、窓付き包袋の窓の打ち抜きによって生じる窓下側辺の打抜き部片をクランク状押引き作用竿となし、そのクランク状押引き作用竿の先端部分を屈折して装飾シート用ポップアップ支柱の下方の装飾シート用断面平行四辺形状支柱の上壁面に貼着連結してなるポップアップ機構を備えたものである。【０００８】  本発明のポップアップアルバムは、内表紙外面の右開閉面に、略その面一杯の写真又はメッセージ記載シートを投函する窓付き包袋の窓には、裏より透明なフィルムを貼着させたものである。【０００９】  本発明のポップアップアルバムは、開閉折線で開閉される左右開閉面の一方の開閉面には、写真又はメッセ−ジ記載シートを投函する窓付き包袋がポップアップ支柱を介して接着結合され、左右開閉面の他方の開閉面には、装飾シートが装飾シート用ポップアップ支柱を介して接着結合され、そして、窓付き包袋の窓下側辺の打抜き部片でなるクランク状押引き作用竿がその先端部分を屈折させて装飾シート用ポップアップ支柱の上壁面に貼着連結してなるポップアップ機構を備えると共に、補助装飾シートが回転して窓付き包袋の下から飛び出す動きをするよう該補助装飾シートの下方に折起し部を設け、該折起し部には、交叉する折目の交叉部が左右開閉面の開閉折線上に位置され、該開閉折線を跨る上下のＶ字形状、逆Ｖ字形状の折目の間を前記左右開閉面への貼着部とし、該貼着部の折目外方へ延展し、折目を介して補助装飾シートに接続した、そして、左右開閉面の開閉に伴なって前記交叉部で交叉する折目の折起し折線による折起しをする畳折り部とでなり、該畳折り部の起伏によって補助装飾シートを回転させる補助装飾シート用ポップアップ機構を備えるものである。
【発明の効果】
【００１０】  本発明のポップアップアルバムは、貴重な記憶のある気に入った写真又はメッセージ記載シートを投函する窓付き包袋が左右開閉面の一方の開閉面略一杯に大きく出来るので、一見してその内容を把握することが出来、まして、ポップアップ機構を備えている為に、それが一層印象付けられることになる。
そして、更に、ポップアップ機構によって写真又はメッセージ記載シートを強調することになり、装飾シート、補助装飾シートはダイナミックな感動を一層与えることになって、ポップアップアルバムの効果がより一層得られることになる。【００１１】  本発明のポップアップアルバムは、左右開閉面の一方の開閉面において、窓付き包袋のポップアップ支柱の２個の起伏する断面平行四辺形状支柱が相互の対面が貼着させることにより、窓付き包袋が大きくなっても座屈に対する強度を保持することが出来、他方の開閉面に、２個の起伏する装飾シート用断面平行四辺形状支柱のその相互が離間して配置されてなる装飾シート用ポップアップ支柱を介して装飾シートが接着結合され、窓付き包袋の窓下側辺の打抜き片であるクランク状押引き作用竿を装飾シート用ポップアップ支柱の下方の起伏する装飾シート用断面平行四辺形状支柱の上壁面に貼着連結することにより、左右開閉面の開閉に伴なってそのクランク状押引き作用竿による押引きがされて、起伏力の異なる互いの断面平行四辺形状支柱、装飾シート用断面平行四辺形状支柱が容易に起伏されることになり、且つ、窓付き包袋、装飾シートをクランク状押引き作用竿のクランク作用で、支障なく、順調に、窓付き包袋、装飾シートのポップアップを行うことが出来ることになる。【００１２】  本発明のポップアップアルバムは、窓付き包袋の窓には、裏より透明なフィルムを貼着させることによって窓から写真又はメッセージ記載シートがはみ出したり、抜け落ちたりすることがなく、都合がよい。【００１３】  本発明のポップアップアルバムは、補助装飾シートが該補助装飾シートの下方に折起し部を設け、該折起し部には、交叉する折目の交叉部が外表紙内面と内表紙外面とでなる左右開閉面の開閉折線上に位置され、該開閉折線を跨る上下のＶ字形状、逆Ｖ字形状の折目の間を前記左右開閉面への貼着部とし、該貼着部の折目外方へ延展し、折目を介して補助装飾シートに接続する畳折り部が、左右開閉面の開閉に伴なって、前記交叉部で交叉する折目の折起し折線による折起しをする補助装飾シート用ポップアップ機構を備えることによって、窓付き包袋に投函された写真又はメッセージ記載シートに驚嘆する様態を表す補助装飾シートが窓付き包袋の下から飛び出し、引込める動きをすることが出来るようになる。
よって、一層のダイナミックな感動を与えることができることになる。
【図面の簡単な説明】
【００１４】
【図１】  写真又はメッセージ記載シートを投函する窓付き包袋がポップアップされるポップアップ機構を備えたポップアップアルバムの様態図である。
【図２】  ポップアップアルバムの下側面図である。
【図３】  ポップアップアルバムのポップアップ支柱、及び装飾シート用ポップアップ支柱の配置平面図である。
【図４】  ポップアップアルバムの窓付き包袋の一部詳細図である。
【図５】  窓付き包袋がポップアップされるポップアップ機構、及び窓付き包袋の下から補助装飾シートが飛び出す補助装飾シート用ポップアップ機構を備えたポップアップアルバムの様態図である。
【図６】  補助装飾シート用ポップアップ機構を設けた補助装飾シートの展開図である。
【発明を実施するための形態】
【００１５】  本発明のポップアップアルバムは、図１乃至図３に示す如く、外表紙の内面１と内表紙の外面２とでなる、開閉折線１０１で開閉する左右開閉面１０，２０には、内表紙外面の右開閉面２０に、略その面に見合う大きさの写真又はメッセージ記載シートを投函する窓付き包袋３が、２個の起伏する断面平行四辺形状支柱４０でなるポップアップ支柱４を介して接着結合され、外表紙内面の左開閉面１０に、前記写真又はメッセージ記載シートを装飾する装飾シート５が２個の起伏する装飾シート用断面平行四辺形状支柱６０でなる装飾シート用ポップアップ支柱６を介して接着結合されている。
そして、図４に示す如く、窓付き包袋３の窓３０を打抜きによって形成し、その窓３０の下側辺の打抜き部片をクランク状押引き作用竿３１となし、該クランク状押引き作用竿の先端部分３２を屈折して装飾シート用ポップアップ支柱６の下方の起伏する装飾シート用断面平行四辺形状支柱６０の上壁面６１に接合連結している。
よって、左右開閉面の開閉に伴なって、前記クランク状押引き作用竿３１を押引きし、前記ポップアップ支柱４、前記装飾シート用ポップアップ支柱６の互いを起伏させ、そうすることによって、前記窓付き包袋３、前記装飾シート５がポップアップされることになるポップアップ機構が構成されることになる。
【００１６】  ポップアップ支柱４は、大きな写真又はメッセージ記載シートを投函する窓付き包袋３が大きいので、座屈しないような強度を保持する厚さにする為、２個の起伏する断面平行四辺形状支柱４０のその相互の対面が貼着され、左右開閉面の開閉に従ってポップアップする窓付き包袋３を貼着した起伏する断面平行四辺形状支柱４０の稜線４０１での起伏が容易にされるようにする為、これらの稜線を左右開閉面１０，２０の開閉折線１０１と並行になるよう右開閉面２０に貼着し、よって、これらを介して、窓付き包袋３が内表紙外面２の右開閉面２０に接着結合されることになる。
【００１７】  装飾シート用ポップアップ支柱６は、左右開閉面の開閉の動きが装飾シート５に即伝達されるように、また、２個の起伏する断面平行四辺形状支柱４０のその対面が貼着されたポップアップ支柱４より強度を弱くする為、２個の起伏する装飾シート用断面平行四辺形状支柱６０がその相互が離間して配置され、左右開閉面１０，２０の開閉の動きに容易に従うようにする。そしてまた、これら起伏する装飾シート用断面平行四辺形状支柱６０の稜線６０１を左右開閉面の開閉折線１０１と並行するよう左開閉面１０に貼着し、よって、装飾シート用ポップアップ支柱６を介して装飾シート５が外表紙内面１の左開閉面１０に接着結合されることになる。
【００１８】  そして、クランク状押引き作用竿３１は、窓付き包袋３の窓３０の打抜きによって生じる窓下側辺の打抜き部片３３でなり、該打抜き部片の先端部分３２を鍵形に屈折して装飾シート用ポップアップ支柱６の下方の起伏する装飾シート用断面平行四辺形状支柱６０の上壁面６１に貼着連結し、前記クランク状押引き作用竿３１の上には、窓付き包袋３に投函される写真又はメッセージ記載シートが貴重で代表的であることを表示する誇示シート７が貼着され、その強度を補強されている。そして、左右開閉面１０、２０の開閉の動きが、始めは、クランク状押引き作用竿３１の作用による押引きで装飾シート用ポップアップ支柱６を起伏させていき、次いで、クランク状押引き作用竿３１がクランク状動きをしながら押引きする力を増して装飾シート用ポップアップ支柱６、ポップアップ支柱４の互いを押引きして窓付き包袋３をポップアップすることになる。
【００１９】  写真又はメッセージ記載シートが投函された窓付き包袋３は、図４に示す如く、その窓３０には、裏より透明なフィルム３４を貼着し、窓３０より写真又はメッセージ記載シートが脱落しないようにする。
【００２０】  図５及び図６に示す如く、外表紙の内面１と内表面の外面２とでなる左右開閉面１０，２０の開閉をする開閉折線１０１の上方には、窓付き包袋３に投函された写真又はメッセージ記載シートに驚嘆する様態を表す補助装飾シート８が設けられている。
該補助装飾シート８は、その下方に折起し部９を形成し、該折起し部９には、交叉する折目９１の交叉部９２が外表紙内面１と内表紙外面２とでなる左右開閉面１０，２０の開閉折線１０１上に位置され、該開閉折線を跨る上下のＶ字形状９３、逆Ｖ字形状９４の折目の間を左右開閉面１０，２０への貼着部９５とし、該貼着部の折目９１外方へ延展し、折目９８を介して前記補助装飾シート８に接続した畳折り部９６が、左右開閉面１０，２０の開閉に伴なって、前記交叉部９２で交叉する折起し折線９７による折起しをし、補助装飾シート８を回転させる補助装飾シート用ポップアップ機構を備えるものである。
【００２１】  外表紙内面１と内表紙外面２とでなる左右開閉面１０，２０の開閉によって、該左右開閉面に貼着された貼着部９５は、左右開閉面の開閉折線１０１を軸にして回転開閉し、それに伴なって、畳折り部９６が折起し折線９７をして開き、折畳みされる。畳折り部９６に折目９８を介して接続して形成された補助装飾シート８は、該畳折り部の開き、折畳みに従って、大きく回転し、窓付き包袋３に投函された写真又はメッセージ記載シートに驚嘆する様態を表す補助装飾シート８が窓付き包袋３の下から飛び出し、そして、引込むことになる。
【符号の説明】
【００２２】    １        外表紙の内面
１０      左開閉面
１０１    開閉折線
２        内表紙の外面
２０      右開閉面
３        窓付き包袋
３０      窓
３１      クランク状押引き作用竿
３２      先端部分
３３      打抜き部片
３４      透明なフィルム
４        ポップアップ支柱
４０      断面平行四辺形状支柱
４０１    稜線
５        装飾シート
６        装飾シート用ポップアップ支柱
６０      装飾シート用断面平行四辺形状支柱
６０１    稜線
６１      上壁面
７        誇示シート
８        補助装飾シート
９        折起し部
９１      折目
９２      交叉部
９３      Ｖ字形状
９４      逆Ｖ字形状
９５      貼着部
９６      畳折り部
９７      折起し折線
９８      折目
【図１】
2018062162.tif 000003
【図２】
2018062162.tif 000004
【図３】
2018062162.tif 000005
【図４】
2018062162.tif 000006
【図５】
2018062162.tif 000007
【図６】
2018062162.tif 000008